(57)【要約】  移動端末のアプリケーションを処理する方法及び装置が提供される。移動端末のアプリケーションを処理する方法は、ディスプレイインタフェースを生成するステップであって、ディスプレイインタフェースはユーザ習慣リストを有し、ユーザ習慣リストは少なくとも１つのユーザ習慣オプションを有し、ユーザ習慣オプションはアプリケーション情報及びコンテンツ情報を有する、生成するステップと、ユーザにより入力された第１の操作コマンドを受信し、第１の操作コマンドに対応するユーザ習慣オプションを決定するステップと、第１の操作コマンドに対応するユーザ習慣オプションのコンテンツ情報を解析し、コンテンツ情報に対応するコンテンツをアプリケーションに実行させるため、第１の操作コマンドに対応するユーザ習慣オプションのアプリケーション情報により示されるアプリケーションをトリガするステップとを有する。本発明の移動端末のアプリケーションを処理する方法及び装置を採用することによって、移動端末の効率性及び利用性が向上する。
2016539409.tif 000002
【特許請求の範囲】
【請求項１】
移動端末のアプリケーションを処理する方法であって、
ディスプレイインタフェースを生成するステップであって、前記ディスプレイインタフェースはユーザ習慣リストを有し、前記ユーザ習慣リストは少なくとも１つのユーザ習慣オプションを有し、前記ユーザ習慣オプションはアプリケーション情報及びコンテンツ情報を有する、生成するステップと、
ユーザにより入力された第１の操作コマンドを受信し、前記第１の操作コマンドに対応する前記ユーザ習慣オプションを決定するステップと、
前記第１の操作コマンドに対応する前記ユーザ習慣オプションのコンテンツ情報を解析し、前記コンテンツ情報に対応するコンテンツをアプリケーションに実行させるため、前記第１の操作コマンドに対応する前記ユーザ習慣オプションのアプリケーション情報により示される前記アプリケーションをトリガするステップと、
を有する方法。
【請求項２】
前記ディスプレイインタフェースを生成するステップの前に、当該方法は更に、
前記ユーザにより入力された第２の操作コマンドを受信し、前記第２の操作コマンドに対応するアプリケーションを決定するステップと、
前記ユーザにより入力された第３の操作コマンドを受信し、前記第３の操作コマンドに対応するコンテンツを決定するステップと、
前記第２の操作コマンドに対応するアプリケーション及び前記第３の操作コマンドに対応するコンテンツに従ってユーザ習慣統計テーブルを更新するステップであって、ユーザ習慣情報の少なくとも１つ及び前記ユーザ習慣情報に対応する利用数が前記ユーザ習慣統計テーブルに記録され、前記ユーザ習慣情報は前記アプリケーション情報及び前記コンテンツ情報を有する、更新するステップと、
前記ユーザ習慣統計テーブルに従って前記ユーザ習慣リストを生成するステップと、
を有する、請求項１記載の方法。
【請求項３】
前記ユーザ習慣統計テーブルに従って前記ユーザ習慣リストを生成するステップは、具体的には、
前記利用数が低下すると、前記ユーザ習慣情報の所定量を選択し、前記選択されたユーザ習慣情報に従って前記ユーザ習慣リストを生成するステップである、請求項２記載の方法。
【請求項４】
所定の期間において前記ユーザ習慣統計テーブルのコンテンツをクリアするステップを更に有する、請求項２記載の方法。
【請求項５】
前記第２の操作コマンドに対応するアプリケーション及び前記第３の操作コマンドに対応するコンテンツに従ってユーザ習慣統計テーブルを更新するステップは、
前記第２の操作コマンドに対応するアプリケーション及び前記第３の操作コマンドに対応するコンテンツに従って処理対象となる前記ユーザ習慣情報を決定するステップと、
前記処理対象となるユーザ習慣情報が前記ユーザ習慣統計テーブルに存在するか判定し、存在する場合、前記ユーザ習慣統計テーブルにおける前記処理対象となるユーザ習慣情報に対応する利用数を１だけ増加し、存在しない場合、前記処理対象となるユーザ習慣情報を前記ユーザ習慣統計テーブルに追加し、前記処理対象となるユーザ習慣情報に対応する利用数を１に設定するステップと、
を有する、請求項２記載の方法。
【請求項６】
前記ユーザ習慣統計テーブルに従って前記ユーザ習慣リストを生成するステップは、具体的には、
アプリケーションタイプに従って前記ユーザ習慣統計テーブルにおける全てのユーザ習慣情報を少なくとも２つのカテゴリに分割するステップであって、前記アプリケーションタイプは前記アプリケーションのタイプである、分割するステップと、
各カテゴリにおいて、前記利用数が低下すると、前記ユーザ習慣情報の所定量を選択し、前記選択されたユーザ習慣情報に従って前記ユーザ習慣リストを生成するステップと、
である、請求項２記載の方法。
【請求項７】
前記ユーザ習慣統計テーブルは、少なくとも２つのユーザ習慣統計サブテーブルを有し、ユーザ習慣情報の少なくとも１つ及び前記ユーザ習慣情報に対応する利用数は、前記ユーザ習慣統計サブテーブルのそれぞれに記録され、前記ユーザ習慣情報は前記アプリケーション情報及び前記コンテンツ情報を有し、
前記第２の操作コマンドに対応するアプリケーション及び前記第３の操作コマンドに対応するコンテンツに従ってユーザ習慣統計テーブルを更新するステップは、具体的には、
前記第３の操作コマンドの発生時間を決定し、前記少なくとも２つのユーザ習慣統計サブテーブルから１つのユーザ習慣統計サブテーブルを決定し、前記第２の操作コマンドに対応するアプリケーション及び前記第３の操作コマンドに対応するコンテンツに従って前記決定されたユーザ習慣統計サブテーブルを更新するステップであり、
前記ユーザ習慣統計テーブルに従って前記ユーザ習慣リストを生成するステップは、具体的には、
前記少なくとも２つのユーザ習慣統計サブテーブルに従って前記ユーザ習慣リストを生成するステップである、請求項２記載の方法。
【請求項８】
移動端末のアプリケーションを処理する装置であって、
ディスプレイインタフェースを生成するよう構成される生成モジュールであって、前記ディスプレイインタフェースはユーザ習慣リストを有し、前記ユーザ習慣リストは少なくとも１つのユーザ習慣オプションを有し、前記ユーザ習慣オプションはアプリケーション情報及びコンテンツ情報を有する、生成モジュールと、
ユーザにより入力された第１の操作コマンドを受信するよう構成される受信モジュールと、
前記第１の操作コマンドに対応する前記ユーザ習慣オプションを決定するよう構成される決定モジュールと、
前記第１の操作コマンドに対応する前記ユーザ習慣オプションのコンテンツ情報を解析し、前記コンテンツ情報に対応するコンテンツをアプリケーションに実行させるため、前記第１の操作コマンドに対応する前記ユーザ習慣オプションのアプリケーション情報により示される前記アプリケーションをトリガするよう構成されるトリガモジュールと、
を有する装置。
【請求項９】
前記受信モジュールは更に、前記ユーザにより入力された第２の操作コマンド及び第３の操作コマンドを受信するよう構成され、
前記決定モジュールは更に、前記第２の操作コマンドに対応するアプリケーションを決定し、前記第３の操作コマンドに対応するコンテンツを決定するよう構成され、
当該装置は更に、
前記第２の操作コマンドに対応するアプリケーション及び前記第３の操作コマンドに対応するコンテンツに従ってユーザ習慣統計テーブルを更新するよう構成される更新モジュールであって、ユーザ習慣情報の少なくとも１つ及び前記ユーザ習慣情報に対応する利用数が前記ユーザ習慣統計テーブルに記録され、前記ユーザ習慣情報は前記アプリケーション情報及び前記コンテンツ情報を有する、更新モジュールを有し、
前記生成モジュールは更に、前記ユーザ習慣統計テーブルに従って前記ユーザ習慣リストを生成するよう構成される、請求項８記載の装置。
【請求項１０】
前記生成モジュールは、具体的には、前記利用数が低下すると、前記ユーザ習慣情報の所定量を選択し、前記選択されたユーザ習慣情報に従って前記ユーザ習慣リストを生成するよう構成される、請求項９記載の装置。
【請求項１１】
所定の期間において前記ユーザ習慣統計テーブルのコンテンツをクリアするよう構成されるクリアリングモジュールを更に有する、請求項９記載の装置。
【請求項１２】
前記更新モジュールは、具体的には、
前記第２の操作コマンドに対応するアプリケーション及び前記第３の操作コマンドに対応するコンテンツに従って処理対象となる前記ユーザ習慣情報を決定し、
前記処理対象となるユーザ習慣情報が前記ユーザ習慣統計テーブルに存在するか判定し、存在する場合、前記ユーザ習慣統計テーブルにおける前記処理対象となるユーザ習慣情報に対応する利用数を１だけ増加し、存在しない場合、前記処理対象となるユーザ習慣情報を前記ユーザ習慣統計テーブルに追加し、前記処理対象となるユーザ習慣情報に対応する利用数を１に設定するよう構成される、請求項９記載の装置。
【請求項１３】
前記生成モジュールは、具体的には、
アプリケーションタイプに従って前記ユーザ習慣統計テーブルにおける全てのユーザ習慣情報を少なくとも２つのカテゴリに分割し、前記アプリケーションタイプは前記アプリケーションのタイプであり、
各カテゴリにおいて、前記利用数が低下すると、前記ユーザ習慣情報の所定量を選択し、前記選択されたユーザ習慣情報に従って前記ユーザ習慣リストを生成するよう構成される、請求項９記載の装置。
【請求項１４】
前記ユーザ習慣統計テーブルは、少なくとも２つのユーザ習慣統計サブテーブルを有し、ユーザ習慣情報の少なくとも１つ及び前記ユーザ習慣情報に対応する利用数は、前記ユーザ習慣統計サブテーブルのそれぞれに記録され、前記ユーザ習慣情報は前記アプリケーション情報及び前記コンテンツ情報を有し、
前記更新モジュールは、具体的には、前記第３の操作コマンドの発生時間を決定し、前記少なくとも２つのユーザ習慣統計サブテーブルから１つのユーザ習慣統計サブテーブルを決定し、前記第２の操作コマンドに対応するアプリケーション及び前記第３の操作コマンドに対応するコンテンツに従って前記決定されたユーザ習慣統計サブテーブルを更新するよう構成され、
前記生成モジュールは、具体的には、前記少なくとも２つのユーザ習慣統計サブテーブルに従って前記ユーザ習慣リストを生成するよう構成される、請求項９記載の装置。
【発明の詳細な説明】
【技術分野】
【０００１】
本出願は、これによって参照することによりその全体に援用される２０１３年１１月１９日に出願されたインド出願第ＩＮ５３２８／ＣＨＥ／２０１３号の優先権を主張する。
【０００２】
本発明は、移動端末技術の分野に関し、特に移動端末のアプリケーションを処理する方法及び装置に関する。
【背景技術】
【０００３】
移動通信技術の進歩によって、スマートフォンなどの移動端末は私たちの日常生活においてますます重要になっている。従って、音楽の再生、ゲーム及びウェブサイトのブラウジングなどの各種アプリケーションが移動端末のため開発されている。
【０００４】
従来技術では、ユーザが移動端末におけるアプリケーションの特定の操作を実行することを所望するとき、例えば、ユーザが彼の友人にメッセージを送信することを所望するとき、以下のような複数のステップが実行される必要がある。まず、ユーザは“メッセージ”アプリケーションを見つけて開く必要があり、次に、ユーザは“新規メッセージの作成”オプションを選択し、“新規メッセージの作成”インタフェースを開いた後、ユーザは電話帳から彼の友人の電話番号を照会して選択する必要があり、その後、ユーザはメッセージを編集し、それを彼の友人に送信できる。
【０００５】
今日の急速な時代では、各アプリケーションを操作するそのような多数のステップはアプリケーションの操作を不便にし、これにより、移動端末の効率性及び利用性を低下させ、時間を浪費させる。
【発明の概要】
【０００６】
本発明の実施例は、移動端末の効率性及び利用性を向上させることが可能な移動端末のアプリケーションを処理する方法及び装置を提供する。
【０００７】
上記課題を解決するため、本発明の実施例は、以下の技術的解決策を採用する。
【０００８】
本発明の一態様は、移動端末のアプリケーションを処理する方法であって、
ディスプレイインタフェースを生成するステップであって、前記ディスプレイインタフェースはユーザ習慣リストを有し、前記ユーザ習慣リストは少なくとも１つのユーザ習慣オプションを有し、前記ユーザ習慣オプションはアプリケーション情報及びコンテンツ情報を有する、生成するステップと、
ユーザにより入力された第１の操作コマンドを受信し、前記第１の操作コマンドに対応する前記ユーザ習慣オプションを決定するステップと、
前記第１の操作コマンドに対応する前記ユーザ習慣オプションのコンテンツ情報を解析し、前記コンテンツ情報に対応するコンテンツをアプリケーションに実行させるため、前記第１の操作コマンドに対応する前記ユーザ習慣オプションのアプリケーション情報により示される前記アプリケーションをトリガするステップと、
を有する方法を提供する。
【０００９】
前記ディスプレイインタフェースを生成するステップの前に、上述された方法は更に、
前記ユーザにより入力された第２の操作コマンドを受信し、前記第２の操作コマンドに対応するアプリケーションを決定するステップと、
前記ユーザにより入力された第３の操作コマンドを受信し、前記第３の操作コマンドに対応するコンテンツを決定するステップと、
前記第２の操作コマンドに対応するアプリケーション及び前記第３の操作コマンドに対応するコンテンツに従ってユーザ習慣統計テーブルを更新するステップであって、ユーザ習慣情報の少なくとも１つ及び前記ユーザ習慣情報に対応する利用数が前記ユーザ習慣統計テーブルに記録され、前記ユーザ習慣情報は前記アプリケーション情報及び前記コンテンツ情報を有する、更新するステップと、
前記ユーザ習慣統計テーブルに従って前記ユーザ習慣リストを生成するステップと、
を有する。
【００１０】
上述された方法において、前記ユーザ習慣統計テーブルに従って前記ユーザ習慣リストを生成するステップは、具体的には、前記利用数が低下すると、前記ユーザ習慣情報の所定量を選択し、前記選択されたユーザ習慣情報に従って前記ユーザ習慣リストを生成するステップである。
【００１１】
上述された方法は、所定の期間において前記ユーザ習慣統計テーブルのコンテンツをクリアするステップを更に有する。
【００１２】
上述された方法において、前記第２の操作コマンドに対応するアプリケーション及び前記第３の操作コマンドに対応するコンテンツに従ってユーザ習慣統計テーブルを更新するステップは、
前記第２の操作コマンドに対応するアプリケーション及び前記第３の操作コマンドに対応するコンテンツに従って処理対象となる前記ユーザ習慣情報を決定するステップと、
前記処理対象となるユーザ習慣情報が前記ユーザ習慣統計テーブルに存在するか判定し、存在する場合、前記ユーザ習慣統計テーブルにおける前記処理対象となるユーザ習慣情報に対応する利用数を１だけ増加し、存在しない場合、前記処理対象となるユーザ習慣情報を前記ユーザ習慣統計テーブルに追加し、前記処理対象となるユーザ習慣情報に対応する利用数を１に設定するステップと、
を有する。
【００１３】
上述された方法において、前記ユーザ習慣統計テーブルに従って前記ユーザ習慣リストを生成するステップは、具体的には、
アプリケーションタイプに従って前記ユーザ習慣統計テーブルにおける全てのユーザ習慣情報を少なくとも２つのカテゴリに分割するステップであって、前記アプリケーションタイプは前記アプリケーションのタイプである、分割するステップと、
各カテゴリにおいて、前記利用数が低下すると、前記ユーザ習慣情報の所定量を選択し、前記選択されたユーザ習慣情報に従って前記ユーザ習慣リストを生成するステップと、
である。
【００１４】
上述された方法において、前記ユーザ習慣統計テーブルは、少なくとも２つのユーザ習慣統計サブテーブルを有し、ユーザ習慣情報の少なくとも１つ及び前記ユーザ習慣情報に対応する利用数は、前記ユーザ習慣統計サブテーブルのそれぞれに記録され、前記ユーザ習慣情報は前記アプリケーション情報及び前記コンテンツ情報を有し、
前記第２の操作コマンドに対応するアプリケーション及び前記第３の操作コマンドに対応するコンテンツに従ってユーザ習慣統計テーブルを更新するステップは、具体的には、
前記第３の操作コマンドの発生時間を決定し、前記少なくとも２つのユーザ習慣統計サブテーブルから１つのユーザ習慣統計サブテーブルを決定し、前記第２の操作コマンドに対応するアプリケーション及び前記第３の操作コマンドに対応するコンテンツに従って前記決定されたユーザ習慣統計サブテーブルを更新するステップであり、
前記ユーザ習慣統計テーブルに従って前記ユーザ習慣リストを生成するステップは、具体的には、
前記少なくとも２つのユーザ習慣統計サブテーブルに従って前記ユーザ習慣リストを生成するステップである。
【００１５】
本発明の他の態様は、移動端末のアプリケーションを処理する装置であって、
ディスプレイインタフェースを生成するよう構成される生成モジュールであって、前記ディスプレイインタフェースはユーザ習慣リストを有し、前記ユーザ習慣リストは少なくとも１つのユーザ習慣オプションを有し、前記ユーザ習慣オプションはアプリケーション情報及びコンテンツ情報を有する、生成モジュールと、
ユーザにより入力された第１の操作コマンドを受信するよう構成される受信モジュールと、
前記第１の操作コマンドに対応する前記ユーザ習慣オプションを決定するよう構成される決定モジュールと、
前記第１の操作コマンドに対応する前記ユーザ習慣オプションのコンテンツ情報を解析し、前記コンテンツ情報に対応するコンテンツをアプリケーションに実行させるため、前記第１の操作コマンドに対応する前記ユーザ習慣オプションのアプリケーション情報により示される前記アプリケーションをトリガするよう構成されるトリガモジュールと、
を有する装置を提供する。
【００１６】
上述された装置では、前記受信モジュールは更に、前記ユーザにより入力された第２の操作コマンド及び第３の操作コマンドを受信するよう構成され、
前記決定モジュールは更に、前記第２の操作コマンドに対応するアプリケーションを決定し、前記第３の操作コマンドに対応するコンテンツを決定するよう構成され、
上述された装置は更に、
前記第２の操作コマンドに対応するアプリケーション及び前記第３の操作コマンドに対応するコンテンツに従ってユーザ習慣統計テーブルを更新するよう構成される更新モジュールであって、ユーザ習慣情報の少なくとも１つ及び前記ユーザ習慣情報に対応する利用数が前記ユーザ習慣統計テーブルに記録され、前記ユーザ習慣情報は前記アプリケーション情報及び前記コンテンツ情報を有する、更新モジュールを有し、
前記生成モジュールは更に、前記ユーザ習慣統計テーブルに従って前記ユーザ習慣リストを生成するよう構成される。
【００１７】
上述された装置では、前記生成モジュールは、具体的には、前記利用数が低下すると、前記ユーザ習慣情報の所定量を選択し、前記選択されたユーザ習慣情報に従って前記ユーザ習慣リストを生成するよう構成される。
【００１８】
上述された装置は、
所定の期間において前記ユーザ習慣統計テーブルのコンテンツをクリアするよう構成されるクリアリングモジュールを更に有する。
【００１９】
上述された装置では、前記更新モジュールは、具体的には、
前記第２の操作コマンドに対応するアプリケーション及び前記第３の操作コマンドに対応するコンテンツに従って処理対象となる前記ユーザ習慣情報を決定し、
前記処理対象となるユーザ習慣情報が前記ユーザ習慣統計テーブルに存在するか判定し、存在する場合、前記ユーザ習慣統計テーブルにおける前記処理対象となるユーザ習慣情報に対応する利用数を１だけ増加し、存在しない場合、前記処理対象となるユーザ習慣情報を前記ユーザ習慣統計テーブルに追加し、前記処理対象となるユーザ習慣情報に対応する利用数を１に設定するよう構成される。
【００２０】
上述された装置では、前記生成モジュールは、具体的には、
アプリケーションタイプに従って前記ユーザ習慣統計テーブルにおける全てのユーザ習慣情報を少なくとも２つのカテゴリに分割し、前記アプリケーションタイプは前記アプリケーションのタイプであり、
各カテゴリにおいて、前記利用数が低下すると、前記ユーザ習慣情報の所定量を選択し、前記選択されたユーザ習慣情報に従って前記ユーザ習慣リストを生成するよう構成される。
【００２１】
上述された装置では、前記ユーザ習慣統計テーブルは、少なくとも２つのユーザ習慣統計サブテーブルを有し、ユーザ習慣情報の少なくとも１つ及び前記ユーザ習慣情報に対応する利用数は、前記ユーザ習慣統計サブテーブルのそれぞれに記録され、前記ユーザ習慣情報は前記アプリケーション情報及び前記コンテンツ情報を有し、
前記更新モジュールは、具体的には、前記第３の操作コマンドの発生時間を決定し、前記少なくとも２つのユーザ習慣統計サブテーブルから１つのユーザ習慣統計サブテーブルを決定し、前記第２の操作コマンドに対応するアプリケーション及び前記第３の操作コマンドに対応するコンテンツに従って前記決定されたユーザ習慣統計サブテーブルを更新するよう構成され、
前記生成モジュールは、具体的には、前記少なくとも２つのユーザ習慣統計サブテーブルに従って前記ユーザ習慣リストを生成するよう構成される。
【００２２】
本発明の実施例による移動端末のアプリケーションを処理する方法及び装置を採用することによって、移動端末におけるアプリケーションの特定のコンテンツを操作するためのステップ数は、ユーザ習慣リストを有するディスプレイインタフェースを生成し、１つのみの操作コマンドによってそれの特定のコンテンツを実行するようアプリケーションをトリガすることを通じて１つのみのステップに減らされ、これにより、移動端末の効率性及び利用性を向上させ、時間を節約する。
【図面の簡単な説明】
【００２３】
本発明の実施例又は従来技術による技術的解決策をより明確に説明するため、以下において、実施例又は従来技術を説明するのに必要な添付図面が簡単に紹介される。明らかに、以下の説明における添付図面は本発明の実施例の単なる一部を示し、当業者は、創作的な努力なく、添付図面に従って他の図面を取得できる。
【図１】図１は、本発明の実施例による移動端末のアプリケーションを処理する方法のフローチャートである。
【図２】図２は、本発明の他の実施例による移動端末のアプリケーションを処理する方法のフローチャートである。
【図３】図３は、本発明の実施例によるユーザ習慣リストの概略図である。
【図４】図４は、本発明の実施例によるカテゴリ化ビューにおけるユーザ習慣リストの概略図である。
【図５】図５は、本発明の実施例による移動端末のアプリケーションを処理する装置の概略的な構成図である。
【図６】図６は、本発明の他の実施例による移動端末のアプリケーションを処理する装置の概略的な構成図である。
【発明を実施するための形態】
【００２４】
本発明の実施例における技術的解決策は、添付図面を参照して明確且つ包括的に説明される。明らかに、説明される実施例は、本発明の実施例の単なる一部であり、全てではない。創作的な努力なくここでの実施例に基づき当業者により取得される他の全ての実施例は、本発明の保護範囲内に属する。
【００２５】
本出願において用いられる“移動端末”という用語は、例えば、これらに限定することなく、ポータブル、ポケット、携帯又は車両搭載移動装置など、移動電話（又は“ハニカム”電話として参照される）及び移動端末に備えられるコンピュータであってもよい。
【００２６】
実施例１
図１は、本発明の実施例による移動端末のアプリケーションを処理する方法のフローチャートである。図１に示されるように、当該方法は以下を有する。
【００２７】
Ｓ１０  ディスプレイインタフェースを生成し、ここで、ディスプレイインタフェースはユーザ習慣リストを有し、ユーザ習慣リストは少なくとも１つのユーザ習慣オプションを有し、ユーザ習慣オプションはアプリケーション情報及びコンテンツ情報を有する。
【００２８】
一般的に、スマートフォンなどの移動端末の通常のユーザは、電話内にインストールされた多数のアプリケーションがあっても、スマートフォンにおける操作の一部しか定期的には利用しない。例えば、ユーザは午前中に彼の母親に電話をし、ユーザは１日に５回“ｎｅｗｓ．ｂｂｃ．ｃｏ．ｕｋ”ウェブサイトをブラウジングし、ユーザは彼の友人の１人又は２人にメッセージを定期的に送信し、ユーザは特定のＦＭラジオチャネルを定期的に聴取し、ユーザは特定のゲームを定期的にプレイする。上記の全ての操作は当該ユーザの習慣の一部を構成する。
【００２９】
ディスプレイインタフェースは、これらに限定することなく、スマートフォンのメイン画面上のウィジットとして、又はスマートフォンのアプリケーションメニューにリストされた通常のアプリケーションとして生成可能である。ディスプレイインタフェースはユーザ習慣リストを含み、ここで、ユーザ習慣リストは少なくとも１つのユーザ習慣オプションから構成される。ユーザ習慣リストは、リンクトリスト、アレイなどとして実現可能である。ユーザ習慣オプションは、上述されたユーザの習慣に従って生成可能であり、例えば、ユーザ習慣オプションは“母への電話”であってもよく、他のユーザ習慣オプションは“ｈｔｔｐ：／／ｎｅｗｓ．ｂｂｃ．ｃｏ．ｕｋを開く”などであってもよい。ユーザ習慣オプションは自動的に生成可能であり、すなわち、アプリケーションを操作するユーザの習慣はユーザの操作の頻度に基づき記録可能であり、このとき、特定のコンテンツの操作が、ユーザ習慣オプションとしてユーザ習慣リスト上にリスト可能である。任意的には、ユーザ習慣オプションはまた、ユーザの選択によって手動でユーザ習慣リストに追加可能である。具体的には、ユーザ習慣オプションは、アプリケーション情報及びコンテンツ情報を含む。アプリケーション情報は、具体的には、アプリケーションの名前又はアプリケーションの識別子（ＩＤ）などのアプリケーションインデックス番号とすることができ、当該アプリケーションへのアクセスを提供する。コンテンツ情報は、当該アプリケーションの特定のコンテンツを含み、ここで、特定のコンテンツはユーザの習慣に従ってユーザにより定期的に操作され、すなわち、コンテンツ情報は、当該アプリケーションの特定のコンテンツへのアクセスを提供する。
【００３０】
Ｓ１１  ユーザにより入力された第１の操作コマンドを受信し、第１の操作コマンドに対応するユーザ習慣オプションを決定する。
【００３１】
ディスプレイインタフェースがメイン画面上などに生成された後、メイン画面上でユーザにより入力される第１の操作コマンドが受信可能である。第１の操作コマンドはスマートフォンのタッチ画面又はキーボードを介し入力可能である。このとき、第１の操作コマンドに対応するユーザ習慣オプションが決定可能である。例えば、ユーザがディスプレイインタフェースのユーザ習慣リスト上の“母に電話”オプションをクリックすると、当該第１の操作コマンドに対応するユーザ習慣オプションが“母への電話”オプションであると判断でき、これは、ユーザが当該操作を通じて彼の母親に電話をかけることを所望していることを意味する。さらに、当該ユーザ習慣オプションのアプリケーション情報及びコンテンツ情報が取得できる。
【００３２】
Ｓ１２  第１の操作コマンドに対応するユーザ習慣オプションのコンテンツ情報を解析し、コンテンツ情報に対応するコンテンツをアプリケーションに実行させるため、第１の操作コマンドに対応するユーザ習慣オプションのアプリケーション情報により示されるアプリケーションをトリガする。
【００３３】
ユーザにより入力された第１の操作コマンドに対応するユーザ習慣オプションのアプリケーション情報及びコンテンツ情報を取得した後、アプリケーション情報（アプリケーションＩＤなど）により示されるアプリケーションは、コンテンツ情報に従ってユーザが操作することを所望する特定のコンテンツを解析するためトリガされる。当該ステップは、従来技術における既存の方法を通じて実現可能であり、例えば、Ａｎｄｒｏｉｄプラットフォームは、“Ｉｎｔｅｎｔ”機構を利用して、全てのイベントトリガ（電話をかけること、メッセージを送信することなど）を駆動する。Ａｎｄｒｏｉｄエコシステムにおける情報は、アプリケーションパッケージ（アプリケーションを特定するのに利用される）、Ｉｎｔｅｎｔアクション（電話をかけること、メッセージを送信すること、ブラウザを開くことなど）及び操作に固有のデータ（発信のための電話番号、メッセージを送信するための電話番号、ブラウジングのためのウェブサイトなど）を含む。従って、当該“Ｉｎｔｅｎｔ”機構を通じて、アプリケーションの特定のコンテンツがアプリケーション情報及びコンテンツ情報に従ってアクセス可能である。すなわち、ユーザは、ディスプレイインタフェース上にリストされたアプリケーションの特定のコンテンツをユーザが操作することを所望するとき、ユーザ習慣オプションに対応する第１の操作コマンドを入力しさえすればよく、このとき、当該特定のコンテンツは、それにアクセスするために複数のステップを実行する必要なく、直接的にアクセス可能である。
【００３４】
本実施例の移動端末のアプリケーションを処理する方法を採用することによって、移動端末におけるアプリケーションの特定のコンテンツを操作するためのステップ数が、ユーザ習慣リストを含むディスプレイインタフェースを生成し、１つのみの操作コマンドによってそれの特定のコンテンツを実行するようアプリケーションをトリガすることを通じて、１つのみのステップに減らされ、これにより、移動端末の効率性及び利用性を向上させ、時間を節約する。
【００３５】
実施例２
図２は、本発明の他の実施例による移動端末のアプリケーションを処理する方法のフローチャートである。図２に示されるように、ディスプレイインタフェースを生成する前に、上述された方法は更に以下を有する。
【００３６】
Ｓ２０  ユーザにより入力された第２の操作コマンドを受信し、第２の操作コマンドに対応するアプリケーションを決定する。
【００３７】
本実施例は、ユーザの習慣に従ってユーザ習慣リストをどのように生成し、ユーザ習慣リストをリアルタイムにどのように更新するかについて詳細に説明する。まず、ユーザにより入力された第２の操作コマンドが受信される。第２の操作コマンドはスマートフォンのタッチ画面又はキーボードを介し入力可能である。具体的には、第２の操作コマンドは、アプリケーションを開くコマンドでありうる。従って、第２の操作コマンドに対応するアプリケーションが決定できる。例えば、ユーザがスマートフォンのアプリケーションメニュー上の“メッセージ”アプリケーションをクリックすると、当該第２の操作コマンドに対応するアプリケーションが“メッセージ”アプリケーションであると判断できる。具体的には、各アプリケーションは共通の通信方法を利用してそれの利用情報を送信し、ここで、共通の通信方法はＡｎｄｒｏｉｄプラットフォームにおいて用いられるブロードキャスティング機構などであり、利用情報は本発明において必要とされるアプリケーション情報及びコンテンツ情報を含むため、アプリケーションを操作する情報は、アプリケーションが第２の操作コマンドを介しユーザにより操作されるとき、このような機構を通じてキャプチャできる。
【００３８】
Ｓ２１  ユーザにより入力された第３の操作コマンドを受信し、第３の操作コマンドに対応するコンテンツを決定する。
【００３９】
第２の操作コマンドに対応するアプリケーションのインタフェースに入った後、ユーザは、当該アプリケーションの特定のコンテンツを操作するため第３の操作コマンドを入力する。ここでは、ユーザにより入力された第３の操作コマンドが受信可能である。また、第３の操作コマンドは、スマートフォンのタッチ画面又はキーボードを介し入力可能である。具体的には、第３の操作コマンドは、アプリケーションに対して特定の操作を実行するコマンドとすることができる。従って、第３の操作コマンドに対応するコンテンツが決定できる。例えば、“メッセージ”アプリケーションのインタフェースに入った後、ユーザは、インタフェース上で“新規メッセージの作成”オプションをクリックし、当該第３の操作コマンドに対応するコンテンツが“新規メッセージの作成”オプションであると判断できる。具体的には、アプリケーションのコンテンツを操作する情報はまた、特定のコンテンツが第３の操作コマンドを通じてユーザにより操作されるとき、共通の通信方法を介してキャプチャ可能である。
【００４０】
Ｓ２２  第２の操作コマンドに対応するアプリケーション及び第３の操作コマンドに対応するコンテンツに従ってユーザ習慣統計テーブルを更新し、ここで、ユーザ習慣情報の少なくとも１つ及びある期間（例えば、更新日から１又は２週間）内におけるユーザ習慣情報に対応する利用数がユーザ習慣統計テーブルに記録され、ユーザ習慣情報はアプリケーション情報及びコンテンツ情報を有する。
【００４１】
ユーザ習慣統計テーブルは、ユーザの習慣を反映する情報を記録したテーブルである。ユーザ習慣統計テーブルは、リンクトリスト、アレイ、マトリクスなどとして実現可能である。ユーザ習慣情報の少なくとも１つは、ユーザ習慣統計テーブルに記録され、ここで、ユーザ習慣情報は上述されたアプリケーション情報及びコンテンツ情報を含み、ここでは繰り返されない。さらに、ユーザ習慣情報に対応する利用数はまた、ユーザ習慣統計テーブルに記録される。例えば、ユーザ習慣情報が“ｈｔｔｐ：／／ｎｅｗｓ．ｂｂｃ．ｃｏ．ｕｋ”を開く情報であって、ユーザが当該ウェブサイトを５回ブラウジングした場合、当該ユーザ習慣情報に対応する利用数は“５回”として記録される。好ましくは、利用数は各操作の発生時間などを含むことができる。ユーザが第２の操作コマンド及び第３の操作コマンドを入力する毎に、それは、第２及び第３の操作コマンドから決定されるユーザ習慣情報に対応する利用数が変更されることを意味することが理解できる。またここでは、ユーザ習慣統計テーブルは、第２の操作コマンドに対応するアプリケーション及び第３の操作コマンドに対応するコンテンツに従って更新可能である。
【００４２】
具体的には、第２の操作コマンドに対応するアプリケーション及び第３の操作コマンドに対応するコンテンツに従ってユーザ習慣統計テーブルを更新することは以下を含む。
【００４３】
Ｓ２２０  第２の操作コマンドに対応するアプリケーション及び第３の操作コマンドに対応するコンテンツに従って処理対象となるユーザ習慣情報を決定する。
【００４４】
上述されたように、ユーザにより入力される第２の操作コマンド及び第３の操作コマンドを受信した後、第２の操作コマンドに対応するアプリケーション及び第３の操作コマンドに対応するコンテンツが決定可能である。すなわち、ユーザ習慣情報を構成するアプリケーション情報及びコンテンツ情報が取得可能である。またそれから、ユーザ習慣情報が処理対象として決定される。
【００４５】
Ｓ２２１  処理対象となるユーザ習慣情報がユーザ習慣統計テーブルに存在するか判定し、存在する場合、ユーザ習慣統計テーブルにおける処理対象となるユーザ習慣情報に対応する利用数を１だけ増加し、存在しない場合、処理対象となるユーザ習慣情報をユーザ習慣統計テーブルに追加し、処理対象となるユーザ習慣情報に対応する利用数を１に設定する。
【００４６】
更新される前に、ユーザ習慣統計テーブルは、処理対象のユーザ習慣情報がユーザ習慣統計テーブルに記録されたか判定するため検索される必要がある。それが記録されている場合、すなわち、ユーザ習慣情報がユーザ習慣統計テーブルに存在する場合、実行すべきことは、処理対象のユーザ習慣情報に対応する利用数を１だけ増やすことのみである。そうでなく、ユーザ習慣統計テーブルにこのような情報がない場合、それは当該情報に対応する操作がユーザによって最初に実行されたことを意味し、処理対象のユーザ習慣情報がユーザ習慣統計テーブルに追加され、それの利用数が１に設定される。
【００４７】
Ｓ２３  ユーザ習慣統計テーブルに従ってユーザ習慣リストを生成する。
【００４８】
ユーザ習慣統計テーブルが毎回更新された後、ユーザ習慣リストが、ユーザ習慣統計テーブルに記録されているユーザ習慣情報及びそれの利用数に従って生成可能である。各ユーザ習慣情報はユーザ習慣オプションとして設定可能であり、複数のユーザ習慣情報に対応する複数のユーザ習慣オプションが、特定の順序でユーザ習慣リストにリスト可能であり、ここで、当該順序は利用数に従って設定される。
【００４９】
具体的には、ユーザ習慣統計テーブルに従ってユーザ習慣リストを生成することは、利用数が低下すると、ユーザ習慣情報の所定量を選択し、選択されたユーザ習慣情報に従ってユーザ習慣リストを生成することである。
【００５０】
実際的な利用では、利用数は無限に増加されるべきでない。以下は、“アグリゲーション機構”と呼ぶことが可能なユーザ習慣情報の利用数を記録する好適な実施例を説明する。
【００５１】
全てのユーザ習慣情報は、ユーザ習慣統計テーブルに記録され、１ヶ月間そこに維持可能である。
【００５２】
各ユーザ習慣情報には、利用数及び直近の発生時間に基づきプライオリティが与えられ、当該プライオリティは以下のように設定可能である。
【００５３】
１）ユーザがユーザ習慣リストに特定の操作を手動により追加する場合、当該操作に対応するユーザ習慣情報は第１のプライオリティを有する。
【００５４】
２）ユーザが直近の２日間において特定の操作を８回など頻繁に実行した場合、当該操作に対応するユーザ習慣情報は第２のプライオリティを有する。
【００５５】
３）ユーザが直近の８日間において特定の操作を実行し、それの利用数が、直近の８日間において１０回であるが、直近の２日間においては８回未満であるなど、より多い場合、当該操作に対応するユーザ習慣情報は第３のプライオリティを有する。
【００５６】
４）他のものは第４のプライオリティを有することが可能である。
【００５７】
ここで、第１のプライオリティが最も高いプライオリティであり、第４のプライオリティは最も低いプライオリティなどである。
【００５８】
“アグリゲーション機構”を通じて、ユーザ習慣情報の所定量が選択され、プライオリティの高低に基づきユーザ習慣リスト上にリスト可能であり、すなわち、第１のプライオリティを有する何れかのユーザ習慣情報は、第２のプライオリティを有する何れの情報よりリスト上でより高い。各種プライオリティについて、ユーザ習慣情報が選択され、利用数の低下に基づきユーザ習慣リストにリスト可能である。このようにして、選択されたユーザ習慣情報によるユーザ習慣リストは、最も頻繁に利用されたユーザ習慣情報を先頭にして生成される。図３は、本発明の実施例によるユーザ習慣リストの概略図である。図３に示されるように、ユーザ習慣オプション“オフィスに電話する”が最も高いプライオリティを有し、これは、ユーザが彼のオフィスに最も頻繁に電話していることを意味する。当該所定量は６などの固定値に設定可能であるか、又はプライオリティに従って設定可能であり、例えば、第１又は第２のプライオリティによる全ての情報が選択され、この場合、ユーザ習慣リスト上にリストされたユーザ習慣オプションの個数は可変的であることが理解されるべきである。
【００５９】
ディスプレイインタフェースのユーザ習慣リストが生成された後、第１の操作コマンドが受信可能である。第１の操作コマンドを処理する具体的な処理は、本発明の上記実施例による移動端末のアプリケーションを処理する方法と同じであり、ここでは繰り返されない。
【００６０】
本実施例の移動端末のアプリケーションを処理する方法を採用することによって、移動端末におけるアプリケーションの特定のコンテンツを操作するユーザ習慣情報が取得可能であり、また、アプリケーションの特定のコンテンツに直接アクセスするため、それらの利用数に従ってユーザ習慣リスト上で集計及びリスト可能である。さらに、ユーザの習慣の変化がユーザ習慣リスト上で動的に反映できるように、ユーザ習慣リストは継続的に更新される。このようにして、移動端末の効率性及び利用性が向上し、ユーザは彼の定期的に利用する操作に迅速且つ便利にアクセスできる。
【００６１】
任意的には、ユーザ習慣オプションがまた、手動によりユーザ習慣リストに追加可能である。ユーザがアプリケーションに対して特定の操作を実行するとき、“マイ習慣”オプションが操作されたページ上に表示可能であり、これにより、ユーザは当該オプションを選択することを通じてユーザ習慣オプションとして当該特定の操作をマーキングできる。ユーザがアプリケーションの特定の操作されたページ上に表示されるオプションを選択すると、当該操作に対応するユーザ習慣オプションが、“アグリゲーション機構”により集計されることなく、ユーザ習慣リストに直接追加され、第１のプライオリティより高いプライオリティによってユーザ習慣リストの先頭にリスト可能である。例えば、図３に示されるユーザ習慣リストについて、ユーザが彼の友人のＴｏｍに電話をしているとき、“マイ習慣”オプションが発信ページ上に表示される。ユーザがそのときに当該オプションを選択した場合、ユーザ習慣オプション“Ｔｏｍに電話”がユーザ習慣リストに追加され、リスト上で“オフィスに電話する”オプションより高くなる。ユーザが次回にＴｏｍに電話することを所望するとき、それは、ユーザ習慣リスト上のオプション“Ｔｏｍに電話”を選択することによって直接実現できる。手動により追加されたユーザ習慣オプションは、ユーザがそれを明示的に削除するまで、ユーザ習慣リストから削除されないことに留意すべきである。
【００６２】
任意的には、本発明の上記実施例では、上述された方法は更に、所定の期間においてユーザ習慣統計テーブルのコンテンツをクリアすることを含む。ユーザ習慣統計のコンテンツ、すなわち、ユーザ習慣情報及びそれの利用数は、移動端末のスペースを浪費することを回避するため、所定の期間でクリアできる。
【００６３】
実施例３
本発明の上記実施例による移動端末のアプリケーションを処理する方法において、ユーザ習慣統計テーブルに従ってユーザ習慣リストを生成することは、具体的には、
アプリケーションタイプに従ってユーザ習慣統計テーブルにおける全てのユーザ習慣情報を少なくとも２つのカテゴリに分割することであり、ここで、アプリケーションタイプはアプリケーションのタイプである。
【００６４】
スマートフォンには各種アプリケーションタイプの各種アプリケーションがあり、“ゲーム”、“エンターテイメント”、“ブラウジング”などの複数のカテゴリに分類可能である。ユーザ習慣統計情報における全てのユーザ習慣情報は、少なくとも２つのカテゴリに分割可能であり、すなわち、各ユーザ習慣情報は特定のカテゴリに分類可能である。従って、ユーザ習慣リストは、以下の異なるビューをサポート可能であり、１つはノーマルビューであり、この場合、ユーザ習慣オプションの全てのカテゴリが上述されたモードに従ってユーザ習慣リスト上にリストされ、他方はカテゴリ化ビューであり、この場合、ユーザ習慣オプションは異なるカテゴリに基づきリストされる。
【００６５】
各カテゴリにおいて、利用数が低下すると、ユーザ習慣情報の所定量を選択し、選択されたユーザ習慣情報に従ってユーザ習慣リストを生成する。
【００６６】
具体的には、各カテゴリにおいて、当該カテゴリのユーザ習慣オプションが、ノーマルビューにおけるユーザ習慣オプションの順序と同様の順序によりリストされる。図４は、本発明の実施例によるカテゴリ化ビューにおけるユーザ習慣リストの概略図である。この場合、“ノーマル”ビューが選択された場合、ユーザ習慣オプションは、図３に示されるように単にリストされ、“カテゴリ化”ビューが選択された場合、ユーザ習慣リストは図４に示されるように表示される。ここで、オプション“ｈｔｔｐ：／／ｎｅｗｓ．ｂｂｃ．ｃｏ．ｕｋを開く”がオプション“ｈｔｔｐ：／／ｗｗｗ．ｇｏｏｇｌｅ．ｃｏｍを開く”より高いプライオリティを有し、これは、ユーザが前者をより頻繁にブラウジングしていることを意味する。このようにして、ユーザが以前によく訪れたウェブサイトを訪れることを所望するとき、ユーザは“ブラウジング”カテゴリ下で当該オプションを見つけることができ、ユーザが頻繁に行っている彼の母に電話することを所望するとき、ユーザは“ジェネラル”カテゴリ下で当該オプションを見つけることができ、ユーザが定期的にプレイしたゲームをプレイすることを所望するとき、ユーザは、“ゲーム”カテゴリ下で当該オプションを見つけることができる。
【００６７】
本実施例の移動端末のアプリケーションを処理する方法を採用することによって、ユーザ習慣情報はアプリケーションのタイプに従って少なくとも２つのカテゴリに分割され、ユーザは、彼が定期的に利用する操作により容易にアクセス可能であり、これにより、移動端末の効率性及び利用性が更に向上する。
【００６８】
実施例４
本発明の上記実施例による移動端末のアプリケーションを処理する方法において、上述されたユーザ習慣統計テーブルは、少なくとも２つのユーザ習慣統計サブテーブルを有し、ユーザ習慣情報の少なくとも１つ及びユーザ習慣情報に対応する利用数は、ユーザ習慣統計サブテーブルのそれぞれに記録され、ユーザ習慣情報はアプリケーション情報及びコンテンツ情報を有する。
【００６９】
実際には、ユーザは、１日の特定の時間のみで特定のモバイル操作を実行するかもしれず、例えば、ユーザは毎日午前中に彼の母親に電話したり、又は毎日午後の休憩中に株式ウェブサイトをブラウジングする。本実施例では、少なくとも２つのユーザ習慣統計サブテーブルが生成される。上記実施例と異なって、ユーザがアプリケーションの特定のコンテンツに対して操作を実行するとき、アプリケーション情報及びコンテンツ情報が共通の通信方法を通じて取得されるだけでなく、当該操作の発生時間が取得される。ユーザ習慣統計サブテーブルが、アプリケーションの特定の各操作の利用数と共に、当該操作の発生時間に従って生成される。例えば、１つのユーザ習慣統計サブテーブルは、日中（８：００〜１８：００など）に行われた全ての操作に対応するユーザ習慣情報を含む日中サブテーブルとすることが可能であり、他方の習慣統計サブテーブルは、夜間（１８：００〜８：００など）に行われた全ての操作に対応するユーザ習慣情報を含む夜間サブテーブルとすることが可能である。
【００７０】
従って、第２の操作コマンドに対応するアプリケーション及び第３の操作コマンドに対応するコンテンツに従ってユーザ習慣統計テーブルを更新することは、具体的には、
第３の操作コマンドの発生時間を決定し、少なくとも２つのユーザ習慣統計サブテーブルから１つのユーザ習慣統計サブテーブルを決定し、第２の操作コマンドに対応するアプリケーション及び第３の操作コマンドに対応するコンテンツに従って決定されたユーザ習慣統計サブテーブルを更新することである。
【００７１】
具体的には、ユーザにより入力された第３の操作コマンドを受信すると、第３の操作コマンドに対応するコンテンツが決定されるのと同時に、第３の操作コマンドの発生時間が決定される。このとき、１つのユーザ習慣統計サブテーブルは、発生時間に従って決定可能である。例えば、第３の操作コマンドの発生時間が１６：００であるとき、日中サブテーブルが決定される。そしてこのとき、当該決定されたユーザ習慣統計サブテーブルは、第２の操作コマンドに対応するアプリケーション及び第３の操作コマンドに対応するコンテンツに従って更新される。当該更新処理は、実施例２におけるユーザ習慣統計テーブルを更新する処理と同じであり、ここでは繰り返されない。
【００７２】
従って、ユーザ習慣統計テーブルに従ってユーザ習慣リストを生成することは、具体的には、
少なくとも２つのユーザ習慣統計サブテーブルに従ってユーザ習慣リストを生成することである。
【００７３】
ユーザ習慣統計サブテーブルが時間に基づきユーザ習慣オプションをリストしているため、ユーザ習慣リストは時間によって変更される。例えば、日中において、ユーザ習慣リストは日中サブテーブルにより生成され、すなわち、ユーザが日中にしばしば実行するユーザ習慣オプションが日中にユーザ習慣リスト上に表示され、夜間において、それは夜間サブテーブルにより生成され、すなわち、ユーザが夜間にしばしば実行するユーザ習慣オプションが夜間にユーザ習慣リスト上に表示される。
【００７４】
本実施例の移動端末のアプリケーションを処理する方法を採用することによって、ユーザ習慣リストは時間に基づき変更及び更新され、このとき、ユーザは彼が定期的に利用する操作により容易にアクセス可能であり、これにより、移動端末の効率性及び利用性が更に向上する。
【００７５】
本発明の上記実施例では、第１の操作コマンドが受信されると、アプリケーションの特定のコンテンツがまた、本発明による移動端末のアプリケーションを処理する方法を通じて操作される。その時点で、当該ユーザ習慣オプションに対応する利用数がまた１だけ増やされ、ユーザ習慣リストが対応して更新されるべきである。
【００７６】
実施例５
図５は、本発明の実施例による移動端末のアプリケーションを処理する装置の概略的な構成図である。本実施例による移動端末のアプリケーションを処理する装置は、本発明の実施例の何れか１つによる移動端末のアプリケーションを処理する方法を実現可能であるが、これに限定されない。図５に示されるように、当該装置は、生成モジュール５０、受信モジュール５１、決定モジュール５２及びトリガモジュール５３を有する。生成モジュール５０は、ディスプレイインタフェースを生成するよう構成され、ディスプレイインタフェースはユーザ習慣リストを有し、ユーザ習慣リストは少なくとも１つのユーザ習慣オプションを有し、ユーザ習慣オプションはアプリケーション情報及びコンテンツ情報を有する。受信モジュール５１は、ユーザにより入力された第１の操作コマンドを受信するよう構成される。決定モジュール５２は、第１の操作コマンドに対応するユーザ習慣オプションを決定するよう構成される。また、トリガモジュール５３は、第１の操作コマンドに対応するユーザ習慣オプションのコンテンツ情報を解析し、コンテンツ情報に対応するコンテンツをアプリケーションに実行させるため、第１の操作コマンドに対応するユーザ習慣オプションのアプリケーション情報により示されるアプリケーションをトリガするよう構成される。
【００７７】
本実施例の装置により方法を実行する具体的な処理は、本発明の上述された実施例による移動端末のアプリケーションを処理する方法と同じであり、ここでは繰り返されない。
【００７８】
本実施例の移動端末のアプリケーションを処理する装置を採用することによって、移動端末におけるアプリケーションの特定のコンテンツを操作するためのステップ数は、生成モジュール５０によってユーザ習慣リストを含むディスプレイインタフェースを生成し、決定モジュール５２により決定された特定のコンテンツを実行するようトリガモジュール５３によってアプリケーションをトリガすることを通じて、１つのみのステップに減らされ、上記の全てが受信モジュール５１により受信された１つのみの操作コマンドを通じて実現され、これにより、移動端末の効率性及び利用性を向上させ、時間を節約する。
【００７９】
実施例６
図６は、本発明の他の実施例による移動端末のアプリケーションを処理する装置の概略的な構成図である。図６に示されるように、本実施例では、受信モジュール５１は更に、ユーザにより入力された第２の操作コマンド及び第３の操作コマンドを受信するよう構成され、決定モジュール５２は更に、第２の操作コマンドに対応するアプリケーションを決定し、第３の操作コマンドに対応するコンテンツを決定するよう構成される。
【００８０】
さらに、本実施例の装置は更に更新モジュール５４を有し、更新モジュール５４は、第２の操作コマンドに対応するアプリケーション及び第３の操作コマンドに対応するコンテンツに従ってユーザ習慣統計テーブルを更新するよう構成され、ここで、ユーザ習慣情報の少なくとも１つ及びユーザ習慣情報に対応する利用数がユーザ習慣統計テーブルに記録され、ユーザ習慣情報はアプリケーション情報及びコンテンツ情報を有する。
【００８１】
従って、生成モジュール５０は更に、ユーザ習慣統計テーブルに従ってユーザ習慣リストを生成するよう構成される。
【００８２】
具体的には、生成モジュール５０は、具体的には、利用数が低下すると、ユーザ習慣情報の所定量を選択し、選択されたユーザ習慣情報に従ってユーザ習慣リストを生成するよう構成される。
【００８３】
さらに、本実施例の装置は更にクリアリングモジュール５５を有し、クリアリングモジュール５５は、所定の期間においてユーザ習慣統計テーブルのコンテンツをクリアするよう構成される。
【００８４】
具体的には、更新モジュールは、第２の操作コマンドに対応するアプリケーション及び第３の操作コマンドに対応するコンテンツに従って処理対象となるユーザ習慣情報を決定し、処理対象となるユーザ習慣情報がユーザ習慣統計テーブルに存在するか判定し、存在する場合、ユーザ習慣統計テーブルにおける処理対象となるユーザ習慣情報に対応する利用数を１だけ増加し、存在しない場合、処理対象となるユーザ習慣情報をユーザ習慣統計テーブルに追加し、処理対象となるユーザ習慣情報に対応する利用数を１に設定するよう構成される。
【００８５】
具体的には、生成モジュールは、アプリケーションタイプに従ってユーザ習慣統計テーブルにおける全てのユーザ習慣情報を少なくとも２つのカテゴリに分割し、ここで、アプリケーションタイプはアプリケーションのタイプであり、各カテゴリにおいて、利用数が低下すると、ユーザ習慣情報の所定量を選択し、選択されたユーザ習慣情報に従ってユーザ習慣リストを生成するよう構成される。
【００８６】
本実施例の装置では、ユーザ習慣統計テーブルは、少なくとも２つのユーザ習慣統計サブテーブルを有し、ユーザ習慣情報の少なくとも１つ及びユーザ習慣情報に対応する利用数は、ユーザ習慣統計サブテーブルのそれぞれに記録され、ユーザ習慣情報はアプリケーション情報及びコンテンツ情報を有する。
【００８７】
具体的には、更新モジュールは、第３の操作コマンドの発生時間を決定し、少なくとも２つのユーザ習慣統計サブテーブルから１つのユーザ習慣統計サブテーブルを決定し、第２の操作コマンドに対応するアプリケーション及び第３の操作コマンドに対応するコンテンツに従って決定されたユーザ習慣統計サブテーブルを更新するよう構成される。
【００８８】
具体的には、生成モジュールは、少なくとも２つのユーザ習慣統計サブテーブルに従ってユーザ習慣リストを生成するよう構成される。
【００８９】
本実施例による移動端末のアプリケーションを処理する装置は、本発明の実施例の何れか１つにより移動端末のアプリケーションを処理する方法を実現可能であり、本実施例の装置により方法を実行する具体的な処理は、本発明の上述された実施例による移動端末のアプリケーションを処理する方法と同じであり、ここでは繰り返されない。
【００９０】
本実施例の移動端末のアプリケーションを処理する装置を採用することによって、移動端末におけるアプリケーションの特定のコンテンツを操作するユーザ習慣情報は、受信モジュール５１及び決定モジュール５２を通じて取得可能であり、アプリケーションの特定のコンテンツに直接アクセスするため、それらの利用数に従ってユーザ習慣リスト上で集計及びリスト可能である。一方、ユーザ習慣リストは、ユーザの習慣の変化がユーザ習慣リスト上で動的に反映できるように、更新モジュール５４を介し継続的に更新される。また、ユーザ習慣情報が少なくとも２つのカテゴリに分割されることを通じて、ユーザは彼が定期的に利用する操作により容易にアクセス可能である。さらに、ユーザ習慣リストはまた、時間によって変更及び更新可能である。このようにして、移動端末の効率性及び利用性は更に向上し、ユーザは彼が定期的に利用する操作に高速且つ便利にアクセス可能である。
【００９１】
当業者は、本発明の方法におけるステップの全て又は一部がプログラムの命令に下でハードウェアにより実現可能であることを理解しうる。当該プログラムは、コンピュータ可読記憶媒体に記憶されてもよく、当該プログラムが実行されると、実施例の方法におけるステップが実行される。当該記憶媒体は、ＲＯＭ、ＲＡＭ、磁気ディスク又はＣＤ−ＲＯＭ（Ｃｏｍｐａｃｔ  Ｄｉｓｋ−Ｒｅａｄ  Ｏｎｌｙ  Ｍｅｍｏｒｙ）などを含む、プログラムコードを記憶可能な何れかの媒体であってもよい。
【００９２】
本発明の特定の実施例のみが上述されたが、本発明の範囲はこれに限定されず、修正又は置換は、当該技術に精通した何れかの技術者により本発明の範囲内であると容易に考えられ得るものであり、その全てが本発明の範囲内に属する。
【図１】
2016539409.tif 000003
【図２】
2016539409.tif 000004
【図３】
2016539409.tif 000005
【図４】
2016539409.tif 000006
【図５】
2016539409.tif 000007
【図６】
2016539409.tif 000008
【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
移動端末のアプリケーションを処理する方法であって、
ディスプレイインタフェースを生成するステップであって、前記ディスプレイインタフェースはユーザ習慣リストを有し、前記ユーザ習慣リストは少なくとも１つのユーザ習慣オプションを有し、前記ユーザ習慣オプションはアプリケーション情報及びコンテンツ情報を有する、生成するステップと、
ユーザにより入力された第１の操作コマンドを受信し、前記第１の操作コマンドに対応する前記ユーザ習慣オプションを決定するステップと、
前記第１の操作コマンドに対応する前記ユーザ習慣オプションのコンテンツ情報を解析し、前記コンテンツ情報に対応するコンテンツをアプリケーションに実行させるため、前記第１の操作コマンドに対応する前記ユーザ習慣オプションのアプリケーション情報により示される前記アプリケーションをトリガするステップと、
を有する方法。
【請求項２】
前記ディスプレイインタフェースを生成するステップの前に、当該方法は更に、
前記ユーザにより入力された第２の操作コマンドを受信し、前記第２の操作コマンドに対応するアプリケーションを決定するステップと、
前記ユーザにより入力された第３の操作コマンドを受信し、前記第３の操作コマンドに対応するコンテンツを決定するステップと、
前記第２の操作コマンドに対応するアプリケーション及び前記第３の操作コマンドに対応するコンテンツに従ってユーザ習慣統計テーブルを更新するステップであって、ユーザ習慣情報の少なくとも１つ及び前記ユーザ習慣情報に対応する利用数が前記ユーザ習慣統計テーブルに記録され、前記ユーザ習慣情報は前記アプリケーション情報及び前記コンテンツ情報を有する、更新するステップと、
前記ユーザ習慣統計テーブルに従って前記ユーザ習慣リストを生成するステップと、
を有する、請求項１記載の方法。
【請求項３】
前記ユーザ習慣統計テーブルに従って前記ユーザ習慣リストを生成するステップは、
前記利用数が低下すると、前記ユーザ習慣情報の所定量を選択し、前記選択されたユーザ習慣情報に従って前記ユーザ習慣リストを生成するステップである、請求項２記載の方法。
【請求項４】
所定の期間において前記ユーザ習慣統計テーブルのコンテンツをクリアするステップを更に有する、請求項２又は３記載の方法。
【請求項５】
前記第２の操作コマンドに対応するアプリケーション及び前記第３の操作コマンドに対応するコンテンツに従ってユーザ習慣統計テーブルを更新するステップは、
前記第２の操作コマンドに対応するアプリケーション及び前記第３の操作コマンドに対応するコンテンツに従って処理対象となる前記ユーザ習慣情報を決定するステップと、
前記処理対象となるユーザ習慣情報が前記ユーザ習慣統計テーブルに存在するか判定し、存在する場合、前記ユーザ習慣統計テーブルにおける前記処理対象となるユーザ習慣情報に対応する利用数を１だけ増加し、存在しない場合、前記処理対象となるユーザ習慣情報を前記ユーザ習慣統計テーブルに追加し、前記処理対象となるユーザ習慣情報に対応する利用数を１に設定するステップと、
を有する、請求項２乃至４何れか一項記載の方法。
【請求項６】
前記ユーザ習慣統計テーブルに従って前記ユーザ習慣リストを生成するステップは、
アプリケーションタイプに従って前記ユーザ習慣統計テーブルにおける全てのユーザ習慣情報を少なくとも２つのカテゴリに分割するステップであって、前記アプリケーションタイプは前記アプリケーションのタイプである、分割するステップと、
各カテゴリにおいて、前記利用数が低下すると、前記ユーザ習慣情報の所定量を選択し、前記選択されたユーザ習慣情報に従って前記ユーザ習慣リストを生成するステップと、
である、請求項２記載の方法。
【請求項７】
前記ユーザ習慣統計テーブルは、少なくとも２つのユーザ習慣統計サブテーブルを有し、ユーザ習慣情報の少なくとも１つ及び前記ユーザ習慣情報に対応する利用数は、前記ユーザ習慣統計サブテーブルのそれぞれに記録され、前記ユーザ習慣情報は前記アプリケーション情報及び前記コンテンツ情報を有し、
前記第２の操作コマンドに対応するアプリケーション及び前記第３の操作コマンドに対応するコンテンツに従ってユーザ習慣統計テーブルを更新するステップは、
前記第３の操作コマンドの発生時間を決定し、前記少なくとも２つのユーザ習慣統計サブテーブルから１つのユーザ習慣統計サブテーブルを決定し、前記第２の操作コマンドに対応するアプリケーション及び前記第３の操作コマンドに対応するコンテンツに従って前記決定されたユーザ習慣統計サブテーブルを更新するステップであり、
前記ユーザ習慣統計テーブルに従って前記ユーザ習慣リストを生成するステップは、
前記少なくとも２つのユーザ習慣統計サブテーブルに従って前記ユーザ習慣リストを生成するステップである、請求項２記載の方法。
【請求項８】
移動端末のアプリケーションを処理する装置であって、
ディスプレイインタフェースを生成するよう構成される生成モジュールであって、前記ディスプレイインタフェースはユーザ習慣リストを有し、前記ユーザ習慣リストは少なくとも１つのユーザ習慣オプションを有し、前記ユーザ習慣オプションはアプリケーション情報及びコンテンツ情報を有する、生成モジュールと、
ユーザにより入力された第１の操作コマンドを受信するよう構成される受信モジュールと、
前記第１の操作コマンドに対応する前記ユーザ習慣オプションを決定するよう構成される決定モジュールと、
前記第１の操作コマンドに対応する前記ユーザ習慣オプションのコンテンツ情報を解析し、前記コンテンツ情報に対応するコンテンツをアプリケーションに実行させるため、前記第１の操作コマンドに対応する前記ユーザ習慣オプションのアプリケーション情報により示される前記アプリケーションをトリガするよう構成されるトリガモジュールと、
を有する装置。
【請求項９】
前記受信モジュールは更に、前記ユーザにより入力された第２の操作コマンド及び第３の操作コマンドを受信するよう構成され、
前記決定モジュールは更に、前記第２の操作コマンドに対応するアプリケーションを決定し、前記第３の操作コマンドに対応するコンテンツを決定するよう構成され、
当該装置は更に、
前記第２の操作コマンドに対応するアプリケーション及び前記第３の操作コマンドに対応するコンテンツに従ってユーザ習慣統計テーブルを更新するよう構成される更新モジュールであって、ユーザ習慣情報の少なくとも１つ及び前記ユーザ習慣情報に対応する利用数が前記ユーザ習慣統計テーブルに記録され、前記ユーザ習慣情報は前記アプリケーション情報及び前記コンテンツ情報を有する、更新モジュールを有し、
前記生成モジュールは更に、前記ユーザ習慣統計テーブルに従って前記ユーザ習慣リストを生成するよう構成される、請求項８記載の装置。
【請求項１０】
前記生成モジュールは、前記利用数が低下すると、前記ユーザ習慣情報の所定量を選択し、前記選択されたユーザ習慣情報に従って前記ユーザ習慣リストを生成するよう構成される、請求項９記載の装置。
【請求項１１】
所定の期間において前記ユーザ習慣統計テーブルのコンテンツをクリアするよう構成されるクリアリングモジュールを更に有する、請求項９又は１０記載の装置。
【請求項１２】
前記更新モジュールは、
前記第２の操作コマンドに対応するアプリケーション及び前記第３の操作コマンドに対応するコンテンツに従って処理対象となる前記ユーザ習慣情報を決定し、
前記処理対象となるユーザ習慣情報が前記ユーザ習慣統計テーブルに存在するか判定し、存在する場合、前記ユーザ習慣統計テーブルにおける前記処理対象となるユーザ習慣情報に対応する利用数を１だけ増加し、存在しない場合、前記処理対象となるユーザ習慣情報を前記ユーザ習慣統計テーブルに追加し、前記処理対象となるユーザ習慣情報に対応する利用数を１に設定するよう構成される、請求項９乃至１１何れか一項記載の装置。
【請求項１３】
前記生成モジュールは、
アプリケーションタイプに従って前記ユーザ習慣統計テーブルにおける全てのユーザ習慣情報を少なくとも２つのカテゴリに分割し、前記アプリケーションタイプは前記アプリケーションのタイプであり、
各カテゴリにおいて、前記利用数が低下すると、前記ユーザ習慣情報の所定量を選択し、前記選択されたユーザ習慣情報に従って前記ユーザ習慣リストを生成するよう構成される、請求項９記載の装置。
【請求項１４】
前記ユーザ習慣統計テーブルは、少なくとも２つのユーザ習慣統計サブテーブルを有し、ユーザ習慣情報の少なくとも１つ及び前記ユーザ習慣情報に対応する利用数は、前記ユーザ習慣統計サブテーブルのそれぞれに記録され、前記ユーザ習慣情報は前記アプリケーション情報及び前記コンテンツ情報を有し、
前記更新モジュールは、前記第３の操作コマンドの発生時間を決定し、前記少なくとも２つのユーザ習慣統計サブテーブルから１つのユーザ習慣統計サブテーブルを決定し、前記第２の操作コマンドに対応するアプリケーション及び前記第３の操作コマンドに対応するコンテンツに従って前記決定されたユーザ習慣統計サブテーブルを更新するよう構成され、
前記生成モジュールは、前記少なくとも２つのユーザ習慣統計サブテーブルに従って前記ユーザ習慣リストを生成するよう構成される、請求項９記載の装置。
【請求項１５】
請求項１乃至７何れか一項記載の方法をコンピュータに実行させるプログラム。
【国際調査報告】
2016539409.tif 000009
2016539409.tif 000010